(57)【要約】【課題】  番組情報の取得に要する消費電力を低減することが可能な放送受信装置及びその制御方法を提供する。【解決手段】  本発明の放送受信装置では、接続された外部装置が通信手段を介して複数のチャンネルの番組情報を送信可能であるか否かを判定する。外部装置が通信手段を介して複数のチャンネルの番組情報を送信可能であると判定された場合は、取得手段によりデジタル放送信号から複数のチャンネルの番組情報を取得せずに、通信手段を介して外部装置に複数のチャンネルの番組情報を送信するように要求し、外部装置から通信手段を介して複数のチャンネルの番組情報を取得するように制御する。【選択図】  図２
2010239463.tif 000002
【特許請求の範囲】
【請求項１】
外部装置に接続可能な放送受信装置であって、
デジタル放送信号を受信する受信手段と、
前記受信手段により複数のチャンネルを順番に選局させて、デジタル放送信号から前記複数のチャンネルの番組情報を取得することが可能な取得手段と、
接続された前記外部装置と双方向通信を行うための通信手段と、
接続された前記外部装置が前記通信手段を介して前記複数のチャンネルの番組情報を送信可能であるか否かを判定する判定手段と、
前記判定手段により前記外部装置が前記通信手段を介して前記複数のチャンネルの番組情報を送信可能であると判定された場合は、前記取得手段によりデジタル放送信号から前記複数のチャンネルの番組情報を取得せずに、前記通信手段を介して前記外部装置に前記複数のチャンネルの番組情報を送信するように要求し、前記外部装置から前記通信手段を介して前記複数のチャンネルの番組情報を取得するように制御する制御手段と、
前記外部装置から前記通信手段を介して取得した前記複数のチャンネルの番組情報を記憶する第１の記憶手段とを備える放送受信装置。
【請求項２】
さらに、前記複数のチャンネルの番組情報を前記通信手段を介して送信可能な対応機種の一覧を示す情報を予め記憶する第２の記憶手段を備え、
前記判定手段は、前記通信手段を介して前記外部装置の機種情報を取得して、前記第２の記憶手段に予め記憶された前記対応機種の一覧を示す情報と比較することによって、接続された前記外部装置が前記通信手段を介して前記複数のチャンネルの番組情報を送信可能であるか否かを判定することを特徴とする請求項１に記載の放送受信装置。
【請求項３】
前記制御手段は、前記放送受信装置の電源がオンされたことに応じて、または予め定められた時刻になったことに応じて、または録画開始時刻の所定時間前になったことに応じて、前記通信手段を介して前記外部装置に前記複数のチャンネルの番組情報を送信するように要求することを特徴とする請求項１または請求項２のいずれかに記載の放送受信装置。
【請求項４】
前記制御手段は、前記通信手段を介して前記外部装置から前記複数のチャンネルの番組情報のバージョン番号を取得して、該バージョン番号が変更された場合に、前記通信手段を介して前記外部装置に前記複数のチャンネルの番組情報を送信するように要求することを特徴とする請求項１または請求項２のいずれかに記載の放送受信装置。
【請求項５】
外部装置に接続可能な放送受信装置であって、
デジタル放送信号を受信する受信手段と、
前記受信手段により複数のチャンネルを順番に選局させて、デジタル放送信号から前記複数のチャンネルの番組情報を取得することが可能な取得手段と、
前記取得手段により取得された前記複数のチャンネルの番組情報を記憶する記憶手段と、
接続された前記外部装置と双方向通信を行うための通信手段と、
接続された前記外部装置が前記通信手段を介して前記放送受信装置から前記複数のチャンネルの番組情報を取得可能であるか否かを判定する判定手段と、
前記判定手段により前記外部装置が前記通信手段を介して前記放送受信装置から前記複数のチャンネルの番組情報を取得可能であると判定された場合は、前記外部装置に対してデジタル放送信号から前記複数のチャンネルの番組情報を取得しないように制御するとともに、前記記憶手段に記憶された前記複数のチャンネルの番組情報を前記通信手段を介して前記外部装置に送信するように制御する制御手段とを備える放送受信装置。
【請求項６】
前記制御手段は、前記記憶手段に記憶された前記複数のチャンネルの番組情報のバージョン番号を取得して、該バージョン番号が変更された場合に、前記記憶手段に記憶された前記複数のチャンネルの番組情報を前記通信手段を介して前記外部装置に送信するように制御することを特徴とする請求項５に記載の放送受信装置。
【請求項７】
外部装置に接続可能な放送受信装置の制御方法であって、
デジタル放送信号を受信する受信ステップと、
前記受信ステップで複数のチャンネルを順番に選局させて、デジタル放送信号から前記複数のチャンネルの番組情報を取得する取得ステップと、
接続された前記外部装置と双方向通信を行う通信ステップと、
接続された前記外部装置が通信により前記複数のチャンネルの番組情報を送信可能であるか否かを判定する判定ステップと、
前記判定ステップで前記外部装置が通信により前記複数のチャンネルの番組情報を送信可能であると判定された場合は、前記取得ステップでデジタル放送信号から前記複数のチャンネルの番組情報を取得せずに、通信により前記外部装置に前記複数のチャンネルの番組情報を送信するように要求し、前記外部装置から通信により前記複数のチャンネルの番組情報を取得するように制御する制御ステップと、
前記外部装置から通信により取得した前記複数のチャンネルの番組情報を記憶する第１の記憶ステップとを有する放送受信装置の制御方法。
【請求項８】
外部装置に接続可能な放送受信装置の制御方法であって、
デジタル放送信号を受信する受信ステップと、
前記受信ステップで複数のチャンネルを順番に選局させて、デジタル放送信号から複数のチャンネルの番組情報を取得する取得ステップと、
前記取得ステップで取得された前記複数のチャンネルの番組情報を記憶する記憶ステップと、
接続された前記外部装置と双方向通信を行う通信ステップと、
接続された前記外部装置が通信により前記放送受信装置から前記複数のチャンネルの番組情報を取得可能であるか否かを判定する判定ステップと、
前記判定ステップで前記外部装置が通信により前記放送受信装置から前記複数のチャンネルの番組情報を取得可能であると判定された場合は、前記外部装置に対してデジタル放送信号から前記複数のチャンネルの番組情報を取得しないように制御するとともに、前記記憶ステップで記憶された前記複数のチャンネルの番組情報を通信により前記外部装置に送信するように制御する制御ステップとを備える放送受信装置の制御方法。
【発明の詳細な説明】
【技術分野】
【０００１】
本発明は、外部装置に接続可能な放送受信装置及びその制御方法に関する。
【背景技術】
【０００２】
デジタル放送受信装置は、一般にＥＰＧ（Ｅｌｅｃｔｒｏｎｉｃ  Ｐｒｏｇｒａｍ  ｇｕｉｄｅ：電子番組表）と呼ばれる番組表を表示する機能を有する。ＥＰＧを作成するために必要な番組名や放送時刻等の番組情報は、ＳＩ（Ｓｅｒｖｉｃｅ  Ｉｎｆｏｒｍａｔｉｏｎ：サービス情報）としてデジタル放送信号に多重して送信される。
【０００３】
ＢＳ（Ｂｒｏａｄｃａｓｔｉｎｇ  Ｓａｔｅｌｌｉｔｅ：放送衛星）デジタル放送では、全放送局の番組情報がまとめて全局ＳＩとして送信されるとともに、各放送局の番組情報が個別に各局ＳＩとして送信される。一方、地上波デジタル放送では、各局ＳＩは送信されるが全局ＳＩは送信されない。このため、例えばスタンバイ時等に全ての放送局のチャンネルを順番に選局していくことによって、全ての放送局の番組情報を取得する。したがって、全ての放送局の番組情報を取得するためにより多くの時間を要し、その分の消費電力が増えてしまう。
【０００４】
ここで、テレビ受信機と記録再生装置とが接続された構成において、通常はテレビ受信機と記録再生装置とがそれぞれ別々にデジタル放送信号を受信して番組情報を取得している。テレビ受信機と記録再生装置とが地上波デジタル放送を受信する機能を有していれば、それぞれが同じ番組情報を個別に放送信号から取得する動作を行うため、省エネルギーの観点から見て無駄な動作をしている。
【０００５】
したがって、同じ番組情報を取得可能な機器が互いに接続されている場合には、どちらか一方の機器だけがデジタル放送信号から番組情報を取得し、取得した番組情報を他方の機器に利用すれば、番組情報の取得に要する消費電力が低減できると考えられる。
【０００６】
下記の特許文献１には、情報端末装置が受信した番組情報を電子メールで他の情報端末装置に送信することが開示されている。
【先行技術文献】
【特許文献】
【０００７】
【特許文献１】特開２００３―３０９７３４号公報
【発明の概要】
【発明が解決しようとする課題】
【０００８】
しかしながら、上記特許文献１では、上記他の情報端末装置が電子メールで受信した番組情報を利用することは可能であるが、当該情報端末装置が放送信号から番組情報を取得する動作を制限するようなことはしない。つまり、２つの情報端末装置がそれぞれ個別に放送信号を受信して番組情報を取得する動作が実行され、同じ番組情報を取得するという無駄な動作はなくならない。したがって、番組情報の取得に要する消費電力を低減することはできない。
【０００９】
そこで、本発明は、番組情報の取得に要する消費電力を低減することが可能な放送受信装置及びその制御方法を提供することを目的とする。
【課題を解決するための手段】
【００１０】
上述した課題を解決するために、本発明に係る放送受信装置は、外部装置に接続可能な放送受信装置であって、デジタル放送信号を受信する受信手段と、受信手段により複数のチャンネルを順番に選局させて、デジタル放送信号から複数のチャンネルの番組情報を取得することが可能な取得手段と、接続された外部装置と双方向通信を行うための通信手段と、接続された外部装置が通信手段を介して複数のチャンネルの番組情報を送信可能であるか否かを判定する判定手段と、判定手段により外部装置が通信手段を介して複数のチャンネルの番組情報を送信可能であると判定された場合は、取得手段によりデジタル放送信号から複数のチャンネルの番組情報を取得せずに、通信手段を介して外部装置に複数のチャンネルの番組情報を送信するように要求し、外部装置から通信手段を介して複数のチャンネルの番組情報を取得するように制御する制御手段と、外部装置から通信手段を介して取得した複数のチャンネルの番組情報を記憶する第１の記憶手段とを備える。
【発明の効果】
【００１１】
本発明によれば、番組情報の取得に要する消費電力を低減することが可能となる。
【図面の簡単な説明】
【００１２】
【図１】本発明の実施の形態１に係る放送受信システムの概略構成を示すブロック図である。
【図２】図１に示した放送受信装置の制御部によるモード設定について説明するためのフローチャートである。
【図３】「ＥＰＧ外部取得モード」における動作について説明するためのシーケンスチャートである。
【図４】本発明の実施の形態１の変更例について説明するためのフローチャートである。
【図５】本発明の実施の形態２におけるモード設定の動作を示すフローチャートである。
【図６】「ＥＰＧ外部送信モード」における動作について説明するためのシーケンスチャートである。
【図７】本発明の実施の形態２の変更例について説明するためのフローチャートである。
【発明を実施するための形態】
【００１３】
（実施の形態１）
この実施の形態１では、２台の放送受信装置が互いに接続された構成において、一方の放送受信装置がデジタル放送信号から番組情報を取得し、他方の放送受信装置はデジタル放送信号から番組情報を取得しないことを特徴とする。
【００１４】
図１は、本発明の実施の形態１に係る放送受信システムの概略構成を示すブロック図である。この放送受信システムは、テレビ受像機等の放送受信装置１００と、ハードディスク・レコーダ（記録再生装置）等の放送受信装置２００とで構成される。放送受信装置１００と放送受信装置２００は、それぞれ外部装置に接続可能な放送受信装置であって、ＨＤＭＩケーブル３００によって互いに接続されている。
【００１５】
放送受信装置１００は、受信部１０１、分離部１０２、デコード部１０３、データ取得部１０４、画像処理部１０５、記憶部１０６、ＥＤＩＤメモリ１０７、表示部１０８、制御部１０９、通信ＩＦ１１０を備える。また、放送受信装置２００は、受信部２０１、分離部２０２、記録再生処理部２０３、データ取得部２０４、画像処理部２０５、記憶部２０６、ＨＤＤ２０７、制御部２０８、通信ＩＦ２０９を備える。
【００１６】
まず、放送受信装置１００について説明する。受信部１０１は、アンテナから入力される地上波デジタル放送信号を受信し、指定されたチャンネルの信号を選局して、復調・誤り訂正等の処理を施し、トランスポートストリーム（ＴＳ）形式の信号を出力する。分離部１０２は、受信部１０１から出力されたＴＳ信号を、映像信号や音声信号、ＳＩ信号等に分離する。デコード部１０３は、分離部１０２からの映像信号および音声信号をデコード（復号）する。
【００１７】
データ取得部１０４は、分離部１０２からのＳＩ信号を受信し、放送番組の番組名、放送時刻、番組説明等の番組情報を取得し、記憶部１０６（第１の記憶部）に格納する。制御部１０９は、予め設定された時刻になると（所定の間隔で定期的に）、受信部１０１が全チャンネルを順番に選局して復調していくように制御する。これにより、データ取得部１０４は、地上波デジタル放送の全チャンネルの番組情報を順次取得して記憶部１０６に格納する。制御部１０９は、通常はスタンバイ時等、受信部１０１が稼働中でないときにこのような制御を行う。
【００１８】
画像処理部１０５は、ユーザの指示に応じて、デコード部１０３によりデコードされた映像信号と、データ取得部１０４により取得された番組情報とを合成する処理等を行って、表示部１０８に映像を表示させる。画像処理部１０５は、例えば、ユーザーからＥＰＧ表示の指示を受けた場合、記憶部１０６に記憶された番組情報をデータ取得部１０４を介して読み出して、ＥＰＧ表示データを作成する。
【００１９】
ＥＤＩＤ（Ｅｘｔｅｎｄｅｄ  Ｄｉｓｐｌａｙ  Ｉｄｅｎｔｉｆｉｃａｔｉｏｎ  Ｄａｔａ）メモリ１０７（第２の記憶部）には、放送受信装置１００の表示部１０８で表示可能な映像フォーマットや、放送受信装置１００の機種情報等が格納される。また、通信ＩＦ１１０に接続される機器に割り当てられる各種アドレス情報等のデータも格納される。放送受信装置２００がＨＤＭＩケーブル３００を介して通信ＩＦ１１０に接続されると、制御部１０９は、ＥＤＩＤメモリ１０７に格納されているデータを読み出して放送受信装置２００に送信する。
【００２０】
次に放送受信装置２００について説明する。受信部２０１は、アンテナから入力される地上波デジタル放送信号を受信し、指定されたチャンネルの信号を選局して、復調・誤り訂正等の処理を施し、トランスポートストリーム（ＴＳ）形式の信号を出力する。分離部２０２は、受信部１０１から出力されたＴＳ信号を、映像信号や音声信号、ＳＩ信号等に分離する。
【００２１】
記録再生処理部２０３は、分離部２０２からの映像信号、音声信号、ＳＩ信号等を記録用のデータ形式に変換し、暗号化処理を施して、ＨＤＤ（Ｈａｒｄ  Ｄｉｓｋ  Ｄｒｉｖｅ：ハードディスクドライブ）２０７内に格納する。また、再生時には、ＨＤＤ２０７内の暗号化されたコンテンツデータを読み出して、暗号解除を行った後、デコード処理を施して画像処理部２０５に出力する。さらに、記録再生処理部２０３は、受信部２０１で受信中のデジタル放送信号をデコードして、画像処理部２０５に出力することも可能である。
【００２２】
データ取得部２０４は、分離部２０２からのＳＩ信号を受信し、放送番組の番組名、放送時刻、番組説明等の番組情報を取得し、記憶部２０６に格納する。
【００２３】
制御部２０８は、「ＥＰＧ放送受信モード」では、デジタル放送信号から番組情報を取得し、「ＥＰＧ外部取得モード」では、デジタル放送信号から番組情報を取得せずに外部装置から番組情報を取得するように制御する。具体的には、「ＥＰＧ放送受信モード」では、予め設定された時刻になると（所定の間隔で定期的に）、受信部２０１が全チャンネルを順番に選局して復調していくように制御する。これにより、データ取得部２０４は、地上波デジタル放送の全チャンネルの番組情報を順次取得して記憶部２０６に格納する。一方、「ＥＰＧ外部取得モード」では、通信ＩＦ２０９を介して放送受信装置１００から地上波デジタル放送の全チャンネルの番組情報を取得して、記憶部２０６に格納する（詳細は後述）。本願発明では、「ＥＰＧ外部取得モード」において、受信部２０１が地上波デジタル放送の全チャンネルを順番に選局して復調する動作を禁止するため、番組情報の取得に要する消費電力を低減することができることを特徴とする。「ＥＰＧ放送受信モード」と「ＥＰＧ外部取得モード」の設定のフローについては、後で詳細に説明する。
【００２４】
画像処理部２０５は、ユーザの指示に応じて、記録再生処理部２０３によりデコードされた映像信号と、データ取得部２０４により取得された番組情報とを合成する処理等を行って、制御部２０８に映像信号を出力する。画像処理部２０５は、例えば、ユーザからＥＰＧ表示の指示を受けた場合、記憶部２０６に記憶された番組情報をデータ取得部２０４を介して読み出して、ＥＰＧ表示データを作成する。制御部２０８は、画像処理部２０５からの映像信号を、通信ＩＦ２０９、ＨＤＭＩケーブル３００放送受信装置１００に送信する。放送受信装置１００に送信された映像信号は、通信ＩＦ１１０、制御部１０９、画像処理部１０５を介して表示部１０８に出力される。
【００２５】
ＨＤＭＩ通信では、ＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ）と呼ばれる著作権保護技術によって、コンテンツが不正利用されないように暗号化して伝送される。画像処理部２０５からの映像信号は制御部２０８で暗号化されて、通信ＩＦ２０９、ＨＤＭＩケーブル３００、通信ＩＦ１１０を介して、制御部１０９へ送信される。制御部１０９は、映像信号の暗号を解除して、画像処理部１０５に出力する。また、ＨＤＭＩ通信では、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ラインを用いて映像信号および音声信号が伝送される。ＥＤＩＤメモリ１０７に格納されたシンク側の機器の機種名や状態等を示す情報は、ＤＤＣ（Ｄｉｓｐｌａｙ  Ｄａｔａ  ｃｈａｎｎｅｌ）ラインを用いて伝送される。機器間の制御には、ＣＥＣ（ｃｏｎｓｕｍｅｒ  Ｅｌｅｃｔｒｏｎｉｃｓ  Ｃｏｎｔｒｏｌ）ラインが用いられる。ＣＥＣラインで制御信号／データを双方向通信することにより、制御部１０９及び制御部２０８はそれぞれ外部装置の制御を行うことが可能となっている。
【００２６】
図２は、放送受信装置２００の制御部２０８によるモード設定について説明するためのフローチャートである。まず、ステップＳ１１で、制御部２０８は、通信ＩＦ２０９に外部装置が接続されたか否かを判別する。外部装置が接続されていない場合は、ステップＳ１２に進み、放送受信装置２００を「ＥＰＧ放送受信モード」に設定する。一方、図１に示したように、放送受信装置２００の通信ＩＦ２０９にＨＤＭＩケーブル３００を介して放送受信装置１００が接続されたことを検知すると、ステップＳ１３に進む。
【００２７】
ステップＳ１３で、接続された外部装置から地上波デジタル放送の番組情報を取得可能か否かを判定する。具体的には、記憶部２０６内に、地上波デジタル放送の番組情報をＨＤＭＩ通信により外部に送信することが可能な機種情報（対応機種情報）の一覧テーブルを予め格納しておく。制御部２０８は、通信ＩＦ２０９にＨＤＭＩケーブル３００を介して放送受信装置１００が接続されたことを検知すると、ＥＤＩＤメモリ１０７に格納された機種情報（放送受信装置１００の機種情報）を読み出す。そして、記憶部２０６に予め格納された対応機種情報の一覧テーブルと照合することによって、放送受信装置１００が地上波デジタル放送の番組情報をＨＤＭＩ通信により外部に送信可能か否かを判定する。
【００２８】
ただし、記憶部２０６内に対応機種情報の一覧テーブルを予め格納しておかずに、次の方法により判定してもよい。具体的には、放送受信装置１００のＥＤＩＤメモリ１０７に拡張メモリ領域を設け、外部装置に地上波デジタル放送の番組情報を送信可能であることを表す情報を書き込んでおく。そして、制御部２０８が放送受信装置１００のＥＤＩＤメモリ１０７から拡張メモリ領域の情報を取得することにより、放送受信装置１００が地上波デジタル放送の番組情報をＨＤＭＩ通信により外部に送信可能か否かを判定してもよい。
【００２９】
ここで、接続された外部装置から地上波デジタル放送の番組情報を取得可能でないと判定された場合は、ステップＳ１３からステップＳ１２に進み、制御部２０８は、放送受信装置２００を「ＥＰＧ放送受信モード」に設定する。一方、接続された外部装置から地上波デジタル放送の番組情報を取得可能であると判定された場合は、ステップＳ１３からステップＳ１４に進み、制御部２０８は、放送受信装置２００を「ＥＰＧ外部取得モード」に設定する。
【００３０】
なお、ここでは、図２を用いて放送受信装置２００の制御部２０８が自動的にモード設定を行う場合について説明したが、ユーザがリモコンを操作することによって、モード設定を行ったり設定変更したりすることも可能である。
【００３１】
図３は、「ＥＰＧ外部取得モード」において放送受信装置２００が放送受信装置１００から番組情報を取得する動作について説明するためのシーケンスチャートである。ステップＳ２１で、放送受信装置２００の制御部２０８は、放送受信装置２００の電源がオンされたことを検知すると、ステップＳ２２に進む。そして、ステップＳ２２で、通信ＩＦ２０９を介して放送受信装置１００に対して地上波デジタル放送の番組情報の送信を要求する。ただし、放送受信装置２００の電源がオンされたタイミングではなく、予め設定された時刻に到達したことを検知したタイミングで（所定の間隔で定期的に）、放送受信装置１００に対して地上波デジタル放送の番組情報の送信を要求するようにしてもよい。また、放送受信装置２００が放送番組の録画開始時刻の所定時間前のタイミングで、放送受信装置１００に対して地上波デジタル放送の番組情報の送信を要求するようにしてもよい。
【００３２】
ステップＳ２３で、放送受信装置１００の制御部１０９は、通信ＩＦ１１０を介して放送受信装置２００からの要求を受けると、記憶部１０６内に格納された地上波デジタル放送の全チャンネルの番組情報を読み出す。そして、ステップＳ２４で、読み出した番組情報を放送受信装置２００に送信する。次に、ステップＳ２５で、放送受信装置２００の制御部２０８は、通信ＩＦ２０９を介して放送受信装置１００から送信された地上波デジタル放送の全チャンネルの番組情報を取得し、記憶部２０６内に格納する。
【００３３】
放送受信装置２００から放送受信装置１００への番組情報の要求コマンドの送信、および放送受信装置１００から放送受信装置２００への番組情報の送信は、ＨＤＭＩのＣＥＣラインを用いて行う。ただし、放送受信装置１００から放送受信装置２００への番組情報の送信は、ＨＤＭＩのＤＤＣライン等の他の転送ラインを用いてもよい。また、画像データのブランキング期間の「データアイランド」と呼ばれるデータエリアを用いて転送してもよい。さらには、ＨＤＭＩ以外の他の通信手段を用いても良く、例えば無線通信により番組情報を転送する方法も考えられる。
【００３４】
記憶部２０６内に格納される番組情報は常に最新の情報であることが望ましいため、定期的に最新の情報に更新する。具体的には、ステップＳ２６で、制御部２０８は、電源オンを検知した後、所定時間が経過したことを検知すると、ステップＳ２７に進む。そして、ステップＳ２７で、放送受信装置１００に対して地上波デジタル放送の番組情報の送信を再度要求する。
【００３５】
ステップＳ２８で、放送受信装置１００の制御部１０９は、通信ＩＦ１１０を介して放送受信装置２００からの要求を受けると、記憶部１０６内に格納された最新の番組情報を読み出す。そして、ステップＳ２９で、読み出した番組情報を放送受信装置２００に送信する。次に、ステップＳ３０で、放送受信装置２００の制御部２０８は、通信ＩＦ２０９を介して放送受信装置１００から送信された地上波デジタル放送の最新の番組情報を取得し、記憶部２０６内の番組情報を最新の情報に更新する。このようにして、記憶部２０６内の番組情報を定期的に最新の情報に更新する。
【００３６】
以上のように、この実施の形態１では、接続された外部装置から地上波デジタル放送の番組情報を取得可能である場合は、放送受信装置２００を「ＥＰＧ外部取得モード」に設定する。「ＥＰＧ外部取得モード」では、放送受信装置２００の制御部２０８は、デジタル放送信号から番組情報を取得せずに外部装置から番組情報を取得するように制御する。「ＥＰＧ外部取得モード」において、受信部２０１が地上波デジタル放送の全チャンネルを順番に選局して復調する動作を禁止するため、番組情報の取得に要する消費電力を低減することができる。
【００３７】
（実施の形態１の変更例）
この実施の形態１の変更例では、記憶部２０６内に格納される番組情報を定期的に最新の情報に更新する際、番組情報のバージョン番号をチェックすることにより新しい情報に変更されたか否かを判別する。そして、番組情報のバージョン番号が変更された場合のみ、外部装置から新しいバージョン番号の番組情報を取得する。
【００３８】
図４は、この実施の形態１の変更例について説明するためのフローチャートである。実施の形態１の変更例においては、図３に示したシーケンスチャートに代わって、図４に示すフローチャートに従って、外部装置から番組情報の取得が行われる。
【００３９】
ステップＳ３１で、放送受信装置２００の制御部２０８は、通信ＩＦ２０９を介して放送受信装置１００に対して定期的に記憶部１０６内に格納されている地上波デジタル放送の番組情報のバージョン番号の送信を要求する。放送受信装置１００の制御部１０９は、通信ＩＦ１１０を介して放送受信装置２００からの要求を受け、記憶部１０６内に格納されている番組情報のバージョン番号を読み出して、放送受信装置２００に送信する。制御部２０８は、通信ＩＦ２０９を介して放送受信装置１００から送信されたバージョン番号を取得する。地上波デジタル放送の番組情報には、バージョン番号も付加されて放送局から送信されるため、バージョン番号をチェックすることにより番組情報が更新されているか否かを判別することが可能である。
【００４０】
次に、ステップＳ３２で、制御部２０８は、放送受信装置１００から取得したバージョン番号と、記憶部２０６内に格納されている番組情報のバージョン番号と比較する。ここで、比較した２つのバージョン情報が同じであれば、放送受信装置１００の記憶部１０６内の番組情報は更新されていないと判断して、放送受信装置１００に番組情報の送信を要求せずに処理を終了する。一方、比較した２つのバージョン番号が異なっていれば、放送受信装置１００の記憶部１０６内の番組情報は更新されていると判断して、ステップＳ３２からステップＳ３３に進む。
【００４１】
ステップＳ３３で、制御部２０８は、通信ＩＦ２０９を介して放送受信装置１００に対して、記憶部１０６内に格納されている新しいバージョン番号の番組情報の送信を要求する。放送受信装置１００の制御部１０９は、通信ＩＦ１１０を介して放送受信装置２００からの要求を受け、記憶部１０６内に格納されている新しいバージョン番号の番組情報を読み出して、放送受信装置２００に送信する。制御部２０８は、通信ＩＦ２０９を介して放送受信装置１００から送信された番組情報を取得する。続いて、制御部２０８は、取得した新しい番組情報を記憶部２０６内に格納して、記憶部２０６内の番組情報を更新する。
【００４２】
放送受信装置２００から放送受信装置１００へのバージョン番号・番組情報の要求コマンドの送信、および放送受信装置１００から放送受信装置２００へのバージョン番号・番組情報の送信は、ＨＤＭＩのＣＥＣラインを用いて行う。ただし、放送受信装置１００から放送受信装置２００へのバージョン番号・番組情報の送信は、ＨＤＭＩのＤＤＣライン等の他の転送ラインを用いてもよい。また、画像データのブランキング期間の「データアイランド」と呼ばれるデータエリアを用いて転送してもよい。さらには、ＨＤＭＩ以外の他の通信手段を用いても良く、例えば無線通信により番組情報を転送する方法も考えられる。
【００４３】
以上のように、この実施の形態１の変更例では、番組情報のバージョン番号が変更された場合に、外部装置から新しいバージョン番号の番組情報を取得する構成とする。このように、番組情報のバージョン番号が変更された場合のみ、外部装置から新しいバージョン番号の番組情報を取得するようにしたため、外部装置から伝送する情報量が減り、伝送時間を短縮することが可能となる。これにより、更なる消費電力の低減が実現できる。
【００４４】
（実施の形態２）
実施の形態１では、放送受信装置２００が主体となって「ＥＰＧ外部取得モード」の設定を行ったが、この実施の形態２では、放送受信装置１００が主体となって放送受信装置２００を「ＥＰＧ外部取得モード」に設定する。放送受信システムの構成は図１と同様であるため、ここでは放送受信装置１００および放送受信装置２００の構成についての詳細な説明は繰り返さない。
【００４５】
図５は、放送受信装置１００が主体となって放送受信装置２００を「ＥＰＧ外部取得モード」に設定する動作を示すフローチャートである。この実施の形態２では、放送受信装置２００の制御部２０８は、図２に示したモード設定の動作を行わずに、放送受信装置１００の制御部１０９が図５に示すモード設定の動作を行う。
【００４６】
まず、ステップＳ４１で、制御部１０９は、通信ＩＦ１１０に外部装置が接続されたか否かを判別する。図１に示したように、放送受信装置１００の通信ＩＦ１１０にＨＤＭＩケーブル３００を介して放送受信装置２００が接続されたことを検知すると、ステップＳ４２に進む。
【００４７】
ステップＳ４２で、制御部１０９は、通信ＩＦ１１０を介して外部装置（放送受信装置２００）に対して「ＥＰＧ外部取得モード」に設定する制御コマンドを送信する。放送受信装置２００の制御部２０８は、通信ＩＦ２０９を介して「ＥＰＧ外部取得モード」に設定する制御コマンドを受けると、放送受信装置２００を「ＥＰＧ外部取得モード」に設定する。そして、「ＥＰＧ外部取得モード」の設定が完了すると、通信ＩＦ２０９を介して放送受信装置１００に対して設定完了通知を送信する。「ＥＰＧ外部取得モード」では、放送受信装置２００の制御部２０８は、デジタル放送信号から番組情報を取得せずに外部装置（放送受信装置１００）から番組情報を取得するように制御する。つまり、制御部２０８は、受信部２０１が地上波デジタル放送の全チャンネルを順番に選局して復調する動作を禁止する。
【００４８】
ステップＳ４３で、放送受信装置１００の制御部１０９は、通信ＩＦ１１０を介して設定完了通知が送信されたか否かを判別する。制御部１０９は、設定完了通知を受信すると、ステップＳ４３からステップＳ４４に進み、外部装置（放送受信装置２００）が「ＥＰＧ外部取得モード」の対応機種であると判断する。そして、自装置（放送受信装置１００）を「ＥＰＧ外部送信モード」に設定して、放送受信装置２００を番組情報の送信対象として設定する。一方、制御部１０９は、設定完了通知を受信しない場合は、ステップＳ４３からステップＳ４５に進み、外部装置が「ＥＰＧ外部取得モード」の対応機種でないと判断して、動作を終える。
【００４９】
放送受信装置１００から放送受信装置２００に対して「ＥＰＧ外部取得モード」に設定する制御コマンドの送信、および放送受信装置２００から放送受信装置１００への設定完了通知の送信は、ＨＤＭＩのＣＥＣラインを用いて行う。ただし、ＨＤＭＩの他の転送ラインを用いたり、ＨＤＭＩ以外の他の通信手段を用いても良く、例えば無線通信により番組情報を転送する方法も考えられる。
【００５０】
図６は、「ＥＰＧ外部送信モード」において放送受信装置１００が放送受信装置２００に番組情報を送信する動作について説明するためのシーケンスチャートである。ステップＳ５１で、放送受信装置２００の制御部２０８が、放送受信装置２００の電源がオンされたことを検知すると、ステップＳ５２に進み、通信ＩＦ２０９を介して放送受信装置１００に対して電源オンされたことを通知する。
【００５１】
ステップＳ５３で、放送受信装置１００の制御部１０９は、通信ＩＦ１１０を介して放送受信装置２００の電源オン通知を受けると、記憶部１０６内に格納された地上波デジタル放送の全チャンネルの番組情報を読み出す。そして、ステップＳ５４で、読み出した番組情報を放送受信装置２００に送信する。ただし、放送受信装置２００が電源オンされた通知を受けたタイミングではなく、予め設定された時刻に到達したことを検知したタイミングで（所定の間隔で定期的に）、放送受信装置２００に対して地上波デジタル放送の番組情報を送信するようにしてもよい。
【００５２】
次に、ステップＳ５５で、放送受信装置２００の制御部２０８は、通信ＩＦ２０９を介して放送受信装置１００から送信された地上波デジタル放送の全チャンネルの番組情報を取得すると、記憶部２０６内に格納する。
【００５３】
放送受信装置２００から放送受信装置１００への電源オンの通知、および放送受信装置１００から放送受信装置２００への番組情報の送信は、ＨＤＭＩのＣＥＣラインを用いて行う。ただし、放送受信装置１００から放送受信装置２００への番組情報の送信は、ＨＤＭＩのＤＤＣライン等の他の転送ラインを用いてもよい。また、ＨＤＭＩ以外の他の通信手段を用いても良く、例えば無線通信により番組情報を転送する方法も考えられる。
【００５４】
記憶部２０６内に格納される番組情報は常に最新の情報であることが望ましいため、定期的に最新の情報に更新する。具体的には、ステップＳ５６で、制御部２０８は、電源オンを検知した後、所定時間が経過したことを検知すると、ステップＳ５７に進む。ステップＳ５７で、放送受信装置１００の制御部１０９は、記憶部１０６内に格納された最新の番組情報を読み出す。そして、ステップＳ５８で、読み出した番組情報を放送受信装置２００に送信する。ステップＳ５９で、放送受信装置２００の制御部２０８は、通信ＩＦ２０９を介して放送受信装置１００から送信された地上波デジタル放送の最新の番組情報を取得し、記憶部２０６内の番組情報を最新の情報に更新する。このようにして、記憶部２０６内の番組情報が定期的に最新の情報に更新される。
【００５５】
以上のように、この実施の形態２では、接続された外部装置（放送受信装置２００）を「ＥＰＧ外部取得モード」に設定し、自装置（放送受信装置１００）を「ＥＰＧ外部送信モード」に設定する。「ＥＰＧ外部取得モード」では、放送受信装置２００の制御部２０８は、デジタル放送信号から番組情報を取得せずに外部装置から番組情報を取得するように制御する。したがって、実施の形態１と同様に、「ＥＰＧ外部取得モード」において、受信部２０１が地上波デジタル放送の全チャンネルを順番に選局して復調する動作を禁止するため、番組情報の取得に要する消費電力を低減することができる。
【００５６】
なお、１台の放送受信装置１００に複数の放送受信装置が接続されている場合、放送受信装置１００は接続された複数の放送受信装置に対して同様の制御を行う。この場合は、番組情報の取得に要する消費電力を複数台分低減することができる。
【００５７】
（実施の形態２の変更例）
この実施の形態２の変更例では、記憶部１０６内に格納される番組情報のバージョン番号をチェックすることにより新しい情報に変更されたか否かを判別する。そして、番組情報のバージョン番号が変更された場合のみ、外部装置へ新しいバージョン番号の番組情報を送信する。
【００５８】
図７は、この実施の形態２の変更例について説明するためのフローチャートである。実施の形態２の変更例においては、図６に示したシーケンスチャートに代わって、図７に示すフローチャートに従って、外部装置への番組情報の送信が行われる。
【００５９】
ステップＳ６１で、放送受信装置１００の制御部１０９は、定期的に記憶部１０６内に格納されている地上波デジタル放送の番組情報のバージョン番号を読み出してチェックする。制御部１０９は、チェックする度に、取得したバージョン情報を保持しておく。
【００６０】
次に、ステップＳ６２で、制御部１０９は、前回のチェック時に取得したバージョン番号と、今回のチェック時に取得したバージョン番号とを比較する。ここで、比較した２つのバージョン情報が同じであれば、記憶部１０６内の番組情報は更新されていないと判断して、外部装置（放送受信装置２００）に番組情報を送信せずに処理を終了する。一方、比較した２つのバージョン番号が異なっていれば、記憶部１０６内の番組情報は更新されていると判断して、ステップＳ６２からステップＳ６３に進む。
【００６１】
ステップＳ６３で、制御部１０９は、記憶部１０６内に格納されている新しいバージョン番号の番組情報を読み出して、通信ＩＦ１１０を介して放送受信装置２００に送信する。放送受信装置２００の制御部２０８は、通信ＩＦ２０９を介して放送受信装置１００から送信された番組情報を取得すると、取得した新しい番組情報を記憶部２０６内に格納して、記憶部２０６内の番組情報を更新する。
【００６２】
以上のように、この実施の形態２の変更例では、番組情報のバージョン番号が変更された場合に、外部装置へ新しいバージョン番号の番組情報を送信する構成とする。このように、番組情報のバージョン番号が変更された場合のみ、外部装置へ新しいバージョン番号の番組情報を送信するようにしたため、外部装置へ伝送する情報量が減り、伝送時間を短縮することが可能となる。これにより、更なる消費電力の低減が実現できる。
【符号の説明】
【００６３】
１００，２００  放送受信装置
１０１，２０１  受信部
１０２，２０２  分離部
１０３  デコード部
１０４，２０４  データ取得部
１０５，２０５  画像処理部
１０６，２０６  記憶部
１０７  ＥＤＩＤメモリ
１０８  表示部
１０９，２０８  制御部
１１０，２０９  通信ＩＦ
２０３  記録再生処理部
２０７  ＨＤＤ
【図１】
2010239463.tif 000003
【図２】
2010239463.tif 000004
【図３】
2010239463.tif 000005
【図４】
2010239463.tif 000006
【図５】
2010239463.tif 000007
【図６】
2010239463.tif 000008
【図７】
2010239463.tif 000009